【事件の表示】
　特願２００６−１６０５９８「写真シール作成装置」拒絶査定不服審判事件〔平成１９年１２月２０日出願公開、特開２００７−３２８２３０〕について、次のとおり審決する。
【結　論】
　本件審判の請求は、成り立たない。
【理　由】
第１　手続の経緯 
　本願は、平成１８年６月９日の出願であって、平成２２年３月８日及び同年６月２日に手続補正がなされたが、同年８月３日に、上記平成２２年６月２日付けの手続補正について補正の却下の決定がなされるとともに、同日付けで拒絶査定がなされた。
　これに対し、同年１０月２１日に拒絶査定に対する審判請求がなされるとともに同日付けで手続補正がなされた。
　その後、当審において、平成２３年１０月１１日付けで、平成２２年１０月２１日付けの手続補正の却下の決定がなされるとともに、同日付けで拒絶理由通知がなされた。
　これに対して、同年１２月２日に意見書及び手続補正書が提出されたものである。
 　　 
第２　本願発明 
　本願の請求項１に係る発明（以下「本願発明」という。）は、平成２３年１２月２日付けの手続補正により補正された特許請求の範囲の請求項１に記載された事項により特定される、次のとおりのものと認める。
　「被写体としての利用者を撮影する撮影手段と、
　前記撮影手段が設けられ、前記被写体を撮影するための撮影空間と、
　前記撮影空間に隣接して設けられ、撮影により得られた撮影画像に対する編集を行うための第１の編集空間と、
　前記第１の編集空間に配置され、前記撮影画像に対する編集を行うための第１の編集手段と、
　前記第１の編集空間に配置され、編集された前記撮影画像を写真シールに印刷する第１の印刷手段と、
　前記撮影空間に隣接して設けられ、撮影により得られた前記撮影画像に対する編集を行うための第２の編集空間と、
　前記第２の編集空間に配置され、前記撮影画像に対する編集を行うための第２の編集手段と、
　前記第２の編集空間に配置され、編集された前記撮影画像を写真シールに印刷する第２の印刷手段と、
　前記撮影空間への入り口に設けられたカーテンが前記被写体の撮影開始前に下ろされ、
前記被写体の撮影後、前記第１の編集空間または前記第２の編集空間への移動案内が終了した後に前記カーテンが上げられるように、前記カーテンによる前記入り口の開閉を制御する開閉制御手段と
　を備え、
　前記撮影空間には、前記利用者が前記撮影空間から前記第１の編集空間に移動するときに通る第１の開口部と、前記利用者が前記撮影空間から前記第２の編集空間に移動するときに通る第２の開口部とが設けられ、
　内部に前記第１の印刷手段が配置された第１の筐体における、前記第１の編集空間からの出口側の側面には、印刷された前記写真シールが排出される第１のシール紙排出口が設けられ、
　内部に前記第２の印刷手段が配置された第２の筐体における、前記第２の編集空間からの出口側の側面には、印刷された前記写真シールが排出される第２のシール紙排出口が設けられている
　写真シール作成装置。」
　
第３　引用刊行物 
　当審の拒絶の理由に引用され、本願の出願日前に頒布された刊行物である、特開２００５−９１９３７号公報（以下「引用文献１」という。）には、図面とともに以下の事項が記載されている。 
（１ａ）「【０００１】
　本発明は、使用者を含む被写体を撮影し、撮影した被写体の画像をシール紙等の画像形成媒体に出力する写真自動販売機及び写真自動販売方法、写真自動販売機を制御するためのコンピュータプログラム、並びに写真自動販売機に用いられる画像形成媒体に関する。
【背景技術】
【０００２】
　近年、ゲームセンター等において、被写体を撮影し、撮影した画像をシールプリント等の画像形成媒体に出力する写真自動販売機が数多く設置されている。このような写真自動販売機は、一般に、カメラ等により使用者を含む被写体を撮影し、撮影した画像を使用者に編集させ、編集された画像をプリンタにより出力し、シールプリントとして提供するものである。
【０００３】
　このような写真自動販売機は、装置に設けたフラッシュ等の光が外に洩れるのを防止するとともに、使用者のプライバシーを確保するために、撮影空間の入り口にサイドカーテンを、撮影効果のために被写体の背景となる位置に背景カーテンをそれぞれ備えている。背景カーテンは手動式のものを用いるのが一般的であるが、近年では使用者の選択により自動で動作する自動式のカーテン又はロールスクリーン等を備えた写真自動販売機も実用化されている。一方、サイドカーテンは、常時閉じられているか、又は手動式のものを用いるのが一般的である。」
（１ｂ）「【００１１】
　本発明は斯かる事情に鑑みてなされたものであり、被写体を撮影する撮影空間を遮蔽する遮蔽手段によって撮影空間を開状態又は閉状態に制御することにより、自動的に撮影空間を開状態にして撮影空間の内部が外から見えるように、又は撮影空間を閉状態にして撮影空間の内部が外から見えないようにすることができる写真自動販売機の提供を目的とする。」
（１ｃ）「【００４６】
　図１は本発明に係る写真自動販売機の一例を示す斜視図、図２は同背面図である。本発明に係る写真自動販売機１００は、大別して、被写体の撮影操作を行なう撮影部１００ａと、撮影された画像の編集操作を行なう編集部１００ｂとで構成される。編集操作とは、撮影された画像を編集処理する操作であり、使用者６が、タッチペンによる文字の入力、並びに、背景画像、スタンプ画像及びフレーム画像など画像の入力を行なって、使用者６が所望する画像に編集する操作（「落書き」,「お絵描き」などと呼ばれる）のことである。
【００４７】
　撮影部１００ａは、後述する撮影側コンピュータ装置１０１a及び撮影側制御部１０２a等の各種機器を収めた撮影側筐体１と、背面カーテン５と、フレーム材及びパネルとから構成される。撮影側筐体１の右側面,左側面の上部には、巻取装置４１ａ，４１ｂ（以下、区別が不要な場合には巻取装置４１とすることもある）と、巻取装置４１ａ，４１ｂに取り付けられたサイドカーテン４２ａ，４２ｂ（以下、区別が不要な場合にはサイドカーテン４２とすることもある）と、巻取装置４１ａ，４１ｂを駆動するモータ４３ａ，４３ｂ（以下、区別が不要な場合にはモータ４３とすることもある）とが配設されている。
【００４８】
　巻取装置４１は、その回転軸がモータ４３によって回転されることにより、サイドカーテン４２を巻き取り、巻き取ることによってサイドカーテン４２を格納するための装置である。サイドカーテン４２が巻取装置４１によって繰り出されると、サイドカーテン４２自体の自重によりサイドカーテン４２の先端が降下し、撮影側筐体１、パネル、及びサイドカーテン４２により囲まれたプライベートな空間が生じ、生じた空間が、まさしく被写体を撮影する撮影空間３となる。つまり、サイドカーテン４２は巻取装置４１によって撮影空間３を遮蔽する遮蔽手段として機能し、巻取装置４１はサイドカーテン４２（遮蔽手段）を格納する格納手段として機能する。また、モータ４３は、遮蔽手段であるサイドカーテン４２を動作させる駆動手段として機能する。
【００４９】
　撮影空間３を形成するパネルの撮影空間３内部の面には、白色、黒色、又は青色などの色彩が施されており、この色彩によって撮影効果を得ることができる。例えば、照明光を反射させて間接光を得たい場合は白色、逆に照明光を吸収させたい場合は黒色、クロマキー合成を行ないたい場合は青色にすればよく、パネルの色は、どのような撮影を行なうかによって、設計開発の際に適宜選択される。また、パネルは、布又はビニール材等で代替することもでき、その場合には、たるみなく張られた状態でフレーム材に固定すればよい。
【００５０】
　背景カーテン５は、撮影時における被写体の背景として用いられるものであり、その色又は柄によって被写体に及ぼす印象が変わるため、色又は柄の異なる複数の背景カーテンを用意しておくことが好ましい。このようにすれば、使用者６が所望する背景カーテンを適宜選択し、背景の色調をかえることによって、所望する写真撮影を行なうことができる。また、それぞれの背景カーテンに対する撮影効果を使用者６自身で見出すなどの撮影における遊びの要素ともなり得る。
【００５１】
　背景カーテン５としては、鉛直方向に巻き上げるロール式、横方向にスライドするスライド式等があるが、そのセット方法は、使用者６によって手動でセットされてもよいし、後述するタッチパネルディスプレイ２２などを操作することによって自動でセットされるようにしてもよい。もちろん、背景カーテン５が備えられていなくても構わない。
【００５２】
　一方、編集部１００ｂは、後述する各種機器を収めた編集側筐体２と、カーテン４４と、フレーム材及びパネルとから構成されており、撮影側筐体２、パネル、及びカーテン４４により囲まれたプライベートな空間は、被写体が画像の編集操作を行なうための編集空間４である。本形態では、カーテン４４が常に懸架されている例を示したが、撮影側のサイドカーテン４２と同様に、編集プレイ開始時にカーテン４４を閉状態にし、編集プレイ終了後にカーテン４４を開状態にしてもよい。
【００５３】
　このような写真自動販売機１００において、被写体たる使用者６は撮影空間３に入り、撮影側筐体１に対向した位置に立って撮影プレイを行なう。そして、撮影プレイが終了すると、使用者６は編集空間４へ移動し、撮影した画像の編集プレイを行なう。撮影及び編集の一連のプレイによって得られた画像はシールなどの画像形成媒体に出力され、使用者６に提供される。なお、被写体が使用者６自身であるものとして説明するが、被写体は１人であってもよいし、複数人であってもよい。もちろん、被写体は人物に限定されるものではなく、その他の物体であってもよいことは言うまでもない。」
（１ｄ）「【００６０】
　また、サイドカーテン４２の内側（撮影空間３側）の面には、前述したパネルと同様に、照明光を反射させて間接光を得たい場合は白色、逆に照明光を吸収させたい場合は黒色、クロマキー合成を行ないたい場合は青色などの色彩が施されたり、又はサイドカーテン自体が反射板、ホログラム、ミラーなどの素材でできていたりしてもよく、このようにすることにより効果的な撮影ができ、本発明に係る撮影効果手段として機能する。サイドカーテン４２の内側面の色は、前述したパネルと同様に、どのような撮影を行なうかによって、設計開発時に適宜選択される。」
（１ｅ）「【００６１】
　図４は撮影側筐体の外観を示す斜視図である。撮影側筐体１の正面には、常光灯である蛍光灯、閃光灯であるフラッシュなどを内蔵し、被写体である使用者６に対して照明を行なうための照明部１８ａ，１８ｂ，１８c（以下、区別が不要な場合には照明部１８とすることもある）が備えられている。
【００６２】
　照明部１８ａは、斜め上、前方から使用者６に集光できるように、使用者６に対して凹状の形状を有しており、照明部１８ａの略中央には、斜め上、前方から使用者６を撮影するカメラ２１ａと、撮影されている画像（動画データ）をリアルタイムで表示するライブモニタ２４ａ，２４ｂと、このカメラ２１ａによって撮影されているか否かを報知するパイロットランプ２５ａとが配設されている。
【００６３】
　照明部１８ｂは、前方から使用者６に照射するものであり、照明部１８ｂの略中央には、前方から使用者６を撮影するカメラ２１ｂと、撮影されている画像をリアルタイムで表示するライブモニタ２４ｃ，２４ｄと、このカメラ２１ｂによって撮影されているか否かを報知するパイロットランプ２５ｂと、デモンストレーション画面（以下、デモ画面），プレイ内容（コース）の選択などの選択肢を表示するとともに、使用者６が指などで表示領域に触れることにより、使用者６からの操作を受け付けるタッチパネルディスプレイ２２とが配設されている。タッチパネルディスプレイ２２は、表示を行なう単なるディスプレイであってもよく、その場合は操作ボタンを別途設けて使用者６からの操作を受け付けるようにすればよい。
【００６４】
　このように、カメラ２１ａ，２１ｂ（以下、区別が不要な場合にはカメラ２１とすることもある）によって撮影されている画像はリアルタイムにライブモニタ２４ａ，２４ｂ，２４ｃ，２４ｄ（以下、区別が不要な場合にはライブモニタ２４とすることもある）に表示されるため、使用者６は撮影されている画像を確認しながらポーズをとって撮影を行なうことができる。カメラ２１は、例えばデジタルカメラであり、デジタルカメラで設定できる項目（例えば、シャッタスピード、絞り値、露出補正、ホワイトバランスなど）の変更及び撮影タイミングは、撮影側コンピュータ装置１０１aから指示される。ライブモニタ２４ａ，２４ｂ,２４ｃ，２４ｄは液晶ディスプレイであり、ライブモニタ２４ａ，２４ｂをカメラ２１ａの左右に、ライブモニタ２４ｃ，２４ｄをカメラ２１ｂの左右に、それぞれ設けたのは、使用者６がカメラの左右どちらにいる場合でも、正面に位置するライブモニタを見るようにすれば、液晶ディスプレイの視野角特性による悪影響を受けなくするためである。」
（１ｆ）「【００６８】
　図５は編集側筐体の外観を示す斜視図である。編集側筐体２は、撮影側筐体１の背面に配設されており、画像の編集を受け付ける編集筐体７と、後述する編集側コンピュータ装置１０１ｂ及びプリンタ１２等の各種機器を納めた印刷筐体８とから構成される。
【００６９】
　編集筐体７には、撮影により得られた画像を表示し、画像の編集を受け付ける操作ディスプレイ１３と、編集入力（いわゆる「お絵描き」）を行なうためのタッチペン１４とが備えられている。なお、撮影側筐体１の編集空間４に面した側の面、すなわち撮影側筐体１の背面には、編集空間４を照明するための照明部１８ｄと、使用者６（正確には編集プレイを行なう使用者）に対して音楽及び操作方法の説明などを音声で出力する編集側スピーカ２３ｃとが配設されている。
【００７０】
　さらに詳述すると、タッチペン１４は、ペン形状の入力装置であって、操作ディスプレイ１３にタッチすることで、背景、スタンプ、フレーム等の画像及び文字の入力、使用する項目（ボタン）の選択、並びに操作の選択などを入力することができる。なお、タッチペン１４は、１本であってもよいし、複数の使用者から同時に入力操作を受け付けることができるように、複数本を備えていてもよい。
【００７１】
　一方、印刷筐体８の内部にはプリンタ１２（図示せず）が備えられている。プリンタ１２は、撮影及び編集された画像を紙、シール、金属、又はプラスチックなどの画像形成媒体に印刷するためのプリンタであって、昇華型プリンタ、サーモオートクローム方式（光定着型直接感熱印刷方式）等のプリンタが一般的に用いられる。なお、以下、プリンタ１２によってシールが印刷されるものとして説明を行なうが、画像形成媒体はシールに限定されず、上述した他の画像形成媒体であってもよい。また、化学反応を利用した写真プリントであってもよいことはもちろんである。
【００７２】
　また、印刷筐体８の側面には、箱型の形状を有するプリント取出口９と、プリント取出口９の近傍に印刷報知ＬＥＤ（Light Emitting Diode）１０及び印刷エラー報知ＬＥＤ１１とが備えられている。
【００７３】
　プリント取出口９はプリンタ１２から出力された写真の取り出し口であり、プリンタ１２から出力された写真が、このプリント取出口９へ排出される。なお、プリント取出口９は、排出された写真が、使用者６が手にするまで地面に落下しないような構成及び形状を有していれば、その形状は限定されるものではない。例えば、印刷筐体８の内部方向に窪んだ箱状の空間と印刷筐体８の側面に沿う方向に取り付けられた蓋とから構成されていてもよい。
【００７４】
　印刷報知ＬＥＤ１０は、点灯又は点滅することによって印刷中であることを使用者６等に報知するものであり、印刷エラー報知ＬＥＤ１１は、点灯又は点滅することによって用紙切れ、インク切れ、用紙詰り、メカニカルエラーなどのエラーが発生していることを報知するものである。
【００７５】
　このように、編集筐体７と印刷筐体８とを別体にしたことにより、管理者（設置者）の意図及びスペースの都合によって編集筐体７と印刷筐体８とを個別かつ自由に配置できる。例えば、店舗によっては写真自動販売機１００を狭いスペースに配置せざるを得ない場合があり、編集筐体７と印刷筐体８との配置関係が固定されている場合には、プリント取出口９の位置が一方の側面に限定されるために配置が困難になる虞があるが、管理者の意図及びスペースに合わせて印刷筐体８を所望する位置に配置することができる。もちろん、編集側筐体２は、編集筐体７と印刷筐体８とに分かれている形態を示したが、これに限定されるものではなく、同じ筐体で編集機能と印刷機能の両方の役割を果たす構成であってもよいことはいうまでもない。」
（１ｇ）「【００９９】
　次に、本発明に係る写真自動販売機１００の処理手順について説明する。本発明に係る写真自動販売機１００は、大別して、撮影操作に係る処理と、編集操作に係る処理とに分けられる。これらの処理は、それぞれのコンピュータ装置のＣＰＵが、記憶装置に記憶される各々のコンピュータプログラム（撮影操作側のプログラム，編集操作側のプログラム）をメモリに読出して並行的に実行することにより、撮影側、編集側で同時にプレイすることが可能になる。つまり、撮影プレイを終了した使用者は、編集空間４へ移動して編集プレイを行ない、次の使用者は、撮影空間３に入って撮影プレイを行なうことができる、すなわち撮影プレイと編集プレイとを並行して行なえるため、顧客回転率が向上する。」
（１ｈ）「【０１０４】
　また、デモ画面が表示されている状態では、撮影側コンピュータ装置１０１ａは、コイン制御部１０７と協業して対価の受領（所定枚数の硬貨の投入など）を監視しており（Ｓ４）、テストボタン８０ｄが押下されず（Ｓ２：ＮＯ）、使用者６により対価を受領する（Ｓ４：ＹＥＳ）と、モータ４３を制御してサイドカーテン４２を巻取装置４１から繰り出し、撮影空間３を閉状態にする（Ｓ５）。撮影側コンピュータ装置１０１ａは、コイン制御部１０７と協業して撮影空間３が使用されているか否かを判定する判定手段として機能してもよい。なお、撮影空間３が使用されているか否かを判定する対価の受領は、１プレイ相当の対価の受領が完了してからであるが、これに限定されるものではなく、例えば硬貨などで対価を受領する場合、１コインが投入された時点で判定しても構わない。
【０１０５】
　より具体的には、使用者６により対価を受領すると、撮影側コンピュータ装置１０１ａは、サイドカーテン４２を繰り出すことを示す制御信号を生成して撮影側制御部１０２ａへ出力し、撮影側制御部１０２ａは、モータ４３に電力（電流）を供給することにより、サイドカーテン４２を巻取装置４１から繰り出し、撮影空間３を閉状態にする。」
（１ｉ）「【０１１７】
　Ｓ９にてキープ画像の選択が終了すると、すなわち、撮影空間３での撮影プレイが終了すると、撮影側コンピュータ装置１０１ａは、サイドカーテン４２を巻き取ることを示す制御信号を生成して撮影側制御部１０２ａへ出力し、撮影側制御部１０２ａは、モータ４３に電力（Ｓ５とは極性の異なる電流）を供給することにより、サイドカーテン４２を巻取装置４１から巻き取り、撮影空間３を開状態にする（Ｓ１０）。
【０１１８】
　撮影空間３での撮影処理が終了し、サイドカーテン４２の収納が終了し、撮影操作側から編集操作側へ処理が移行すると、「編集側（編集空間４）に移動してください」などの案内表示を表示してＳ１へ移行する。すなわち、再びタッチパネルディスプレイ２２にデモ画面を表示して次の使用者による撮影に待機する。また、撮影側コンピュータ装置１０１ａは、Ｓ９にて得られたキープ画像を編集側コンピュータ装置１０１ｂへ送信する。」
（１ｊ）「【０１３３】
　次いで、編集側コンピュータ装置１０１ｂは、編集画面を操作ディスプレイ１３に表示し、キープ画像に対して編集用画像を入力する編集入力（「お絵描き」入力）を使用者６から受け付ける（Ｓ２３）。編集画面には、Ｓ２１にて明るさ調整が施されたキープ画像と、編集用画像を入力するために用いられる機能ボタン（ツール）とが表示されている。機能ボタンには、ペン、スタンプ、背景、色、線種、及び柄等の各種のツールが用意されており、使用者６は、それら機能ボタン中から所望するツールをタッチペン１４で選択し、選択したツールを用いて任意の画像、及び文字等の編集用画像を入力する。なお、編集用画像の入力の受け付けは、所定の制限時間に達するまで行なうことができる。
【０１３４】
　編集側コンピュータ装置１０１ｂは、Ｓ２２にて明るさ調整が施されたキープ画像とＳ２３にて受け付けた編集用画像とをメモリ上の別のレイヤに展開し、各レイヤを重ねた画像（合成画像）を操作ディスプレイ１３に表示する（Ｓ２４）。なお、各レイヤの内のいずれを上位レイヤにするかは用途により異なるが、例えば、編集用画像をキープ画像の前景画像とする場合には編集用画像が上位レイヤとなり、編集用画像をキープ画像の背景画像とする場合には編集用画像が下位レイヤとなる。更に、編集用画像は、スタンプ画像のレイヤ、フレーム画像のレイヤなど、機能別に分けられた複数のレイヤで構成されていてもよく、複数のレイヤの内のいずれかを変更したい場合には、対応するレイヤのみを変更すればよいため、「ひとつもどる」、「ひとつすすむ」、及び「はじめから」などの編集過程のコントロールを容易に実現できる。
【０１３５】
　そして、編集側コンピュータ装置１０１ｂは、印刷対象画像のサイズと配置との組合せを示すシールレイアウトの選択画面を操作ディスプレイ１３に表示し、所望のシールレイアウトの選択を使用者６から受け付ける（Ｓ２５）。選択画面には、画像がレイアウトされた複数のレイアウト例が表示されており、使用者６は所望のシールレイアウトをタッチペン１４で選択する。編集側コンピュータ装置１０１ｂは、受け付けたシールレイアウトに基づいて、キープ画像と編集用画像とを合成し、合成した画像に係る印刷信号をプリンタ１２へ送信する。
【０１３６】
　そして、プリンタ１２は、所定の画像形成媒体の表面に画像を印刷し、印刷した画像形成媒体をプリント取出口９から排出する（Ｓ２６）。なお、プリント取出口９が本例のように印刷筐体８の側面側にある場合、すなわち、編集空間４の外側にある場合は、印刷を開始するタイミングに同期して、「印刷中です。プリントは横から出ます。外に出て待ってね。」などの案内を操作ディスプレイ１３に表示することが好ましい。そして、Ｓ２１に移行し、待機画面を操作ディスプレイ１３に表示して次の使用者が使用するまで待機する。」
　
　これらの記載事項及び図面を含む引用文献１全体の記載並びに当業者の技術常識を総合すれば、引用文献１には、以下の発明が記載されている。
　「被写体の撮影操作を行なう撮影部（１００ａ）と、撮影された画像の編集操作を行なう編集部（１００ｂ）とで構成され、
　撮影部は、使用者（６）を撮影するカメラ（２１ａ）を含む各種機器を収めた撮影側筐体（１）と、撮影時に自動でセットされる被写体の背景として用いられる背面カーテン（５）と、フレーム材及びパネルとから構成され、
　撮影側筐体、パネル、及びサイドカーテンにより囲まれた空間が被写体を撮影する撮影空間（３）を構成し、サイドカーテンは撮影空間の入り口に備えられ、
　編集部は、画像の編集を受け付ける操作ディスプレイ（１３）と編集入力を行なうためのタッチペン（１４）及び所定の画像形成媒体の表面に画像を印刷するプリンタ（１２）とを含む各種機器を収めた編集側筐体（２）と、カーテン（４４）と、フレーム材及びパネルとから構成されており、
　撮影側筐体、パネル、及びカーテンにより囲まれた空間は、被写体が画像の編集操作を行なうための編集空間（４）を構成し、
　撮影プレイを終了した使用者は、編集空間へ移動して編集プレイを行なうように構成されており、
　使用者により対価を受領すると、撮影側コンピュータ装置（１０１ａ）は、サイドカーテンを繰り出すことを示す制御信号を生成して撮影側制御部（１０２ａ）へ出力し、撮影側制御部は、モータ（４３）に電力（電流）を供給することにより、サイドカーテンを巻取装置から繰り出し、撮影空間を閉状態にし、
　撮影空間での撮影プレイが終了すると、撮影側コンピュータ装置は、サイドカーテンを巻き取ることを示す制御信号を生成して撮影側制御部へ出力し、撮影側制御部は、モータに電力を供給することにより、サイドカーテンを巻取装置から巻き取り、撮影空間を開状態にし、
　使用者は、編集用画像を入力するために用いられるペン、スタンプ、背景、色、線種、及び柄等の各種の機能ボタン（ツール）機能ボタン中から所望するツールをタッチペンで選択し、選択したツールを用いて任意の画像、及び文字等の編集用画像を入力し、
　使用者がタッチペンで選択した所望のシールレイアウトシールレイアウトに基づいて、撮影された画像と編集用画像とを合成し、合成した画像をプリンタへ送信するとともに、
　内部にプリンタ（１２）を備えた印刷筐体（８）を有し、印刷筐体の側面には、プリンタから出力された写真が排出されるプリント取出口（９）を備え、
　撮影した被写体の画像をシール紙等の画像形成媒体に出力する写真自動販売機。」（以下「引用発明」という。）
　
第４　対比 
　本願発明と引用発明とを比較する。
（１）引用発明の「使用者」は、本願発明の「利用者」に相当するから、引用発明において「被写体」としての「使用者を撮影するカメラ」は、本願発明の「被写体としての利用者を撮影する撮影手段」に相当する。
　また、引用発明の「編集空間」と本願発明の「第１の編集空間」及び「第２の編集空間」は、ともに「編集空間」である点で共通する。
　同様に、
「画像の編集を受け付ける操作ディスプレイと編集入力を行なうためのタッチペン」と「第１の編集手段」及び「第２の編集手段」は、ともに「編集手段」である点で、
「所定の画像形成媒体の表面に画像を印刷するプリンタ」と「撮影画像を写真シールに印刷する第１の印刷手段」及び「撮影画像を写真シールに印刷する第２の印刷手段」は、ともに「撮影画像を写真シールに印刷する印刷手段」である点で、それぞれ共通する。
　さらに、引用発明の「撮影空間」と「編集空間」は、その構成要素として撮影側筐体を共用していることから、両空間が隣接して設けられていることは明らかである。
　そして、引用発明の撮影空間は、利用者が撮影空間から編集空間に移動するときに通る開口部が設けられていることも明らかである。
（２）引用発明の「撮影空間の入り口に備えられ」た「サイドカーテン」は、本願発明の「撮影空間への入り口に設けられたカーテン」に相当するから、引用発明において「使用者により対価を受領すると、撮影側コンピュータ装置は、サイドカーテンを繰り出すことを示す制御信号を生成して撮影側制御部へ出力し、撮影側制御部は、モータに電力（電流）を供給することにより、サイドカーテンを巻取装置から繰り出し、撮影空間を閉状態にし、撮影空間での撮影プレイが終了すると、撮影側コンピュータ装置は、サイドカーテンを巻き取ることを示す制御信号を生成して撮影側制御部へ出力し、撮影側制御部は、モータに電力を供給することにより、サイドカーテンを巻取装置から巻き取り、撮影空間を開状態に」することは、本願発明の「撮影空間への入り口に設けられたカーテンが被写体の撮影開始前に下ろされ、被写体の撮影後、編集空間への移動案内が終了した後に前記カーテンが上げられるように、カーテンによる入り口の開閉を制御する」ことに相当し、その結果、引用発明の「撮影側コンピュータ装置」及び「撮影側制御部」は、本願発明の「開閉制御手段」に相当する。
（３）引用発明の「プリント取出口」と本願発明の「第１のシール紙排出口」及び「第２のシール紙排出口」は、ともに「シール紙排出口」である点で共通する。
　したがって、引用発明の「印刷筐体」と本願発明の「第１の筐体」及び「第２の筐体」は、ともに「内部に印刷手段が配置され、側面には印刷された写真シールが排出されるシール紙排出口が設けられ」ている点で共通する。
（４）引用発明の「撮影した被写体の画像をシール紙等の画像形成媒体に出力する写真自動販売機」は、本願発明の「写真シール作成装置」に相当する。
　
　以上のことより、両者は、 
　「被写体としての利用者を撮影する撮影手段と、
　前記撮影手段が設けられ、前記被写体を撮影するための撮影空間と、
　前記撮影空間に隣接して設けられ、撮影により得られた撮影画像に対する編集を行うための編集空間と、
　前記編集空間に配置され、前記撮影画像に対する編集を行うための編集手段と、
　前記編集空間に配置され、編集された前記撮影画像を写真シールに印刷する印刷手段と、
　前記撮影空間への入り口に設けられたカーテンが前記被写体の撮影開始前に下ろされ、
前記被写体の撮影後、前記第１の編集空間または前記第２の編集空間への移動案内が終了した後に前記カーテンが上げられるように、前記カーテンによる前記入り口の開閉を制御する開閉制御手段と
　を備え、
　前記撮影空間には、前記利用者が前記撮影空間から前記編集空間に移動するときに通る開口部が設けられ、
　内部に印刷手段が配置された筐体における側面には、印刷された写真シールが排出されるシール紙排出口が設けられている
　写真シール作成装置。」
の点で一致し、次の各点で相違している。
　
（相違点１）
　本願発明は、編集空間を２つ有しており、それに伴って、編集手段、印刷手段、開口部、筐体及びシール紙排出口もそれぞれ２つ有するのに対して、引用発明は、それらの構成を１つしか有していない点。
（相違点２）
　シール紙排出口が、本願発明は筐体の編集空間からの出口側の側面に設けられているのに対して、引用発明は、筐体の側面に設けられているものの、編集空間からの出口側との位置関係が不明な点。
　
第５　判断 
　上記各相違点について検討する。
（相違点１について）
　撮影空間と編集空間を有する写真シール作成装置において、利用者の回転効率を向上させるために編集空間を複数設けることは、ごく普通に行われている周知技術である（特開２００５−１０２１０２号公報、段落【０１４１】、【図１５】参照）。
　引用発明に当該周知技術を適用し、相違点１に係る構成を採用することは、当業者が容易になし得る事項である。
（相違点２について）
　引用文献１には、「管理者（設置者）の意図及びスペースの都合によって編集筐体７と印刷筐体８とを個別かつ自由に配置できる。例えば、店舗によっては写真自動販売機１００を狭いスペースに配置せざるを得ない場合があり、編集筐体７と印刷筐体８との配置関係が固定されている場合には、プリント取出口９の位置が一方の側面に限定されるために配置が困難になる虞があるが、管理者の意図及びスペースに合わせて印刷筐体８を所望する位置に配置することができる。」（上記摘記事項（１ｆ）【００７５】参照）と記載されており、印刷筐体の側面に設けられたプリント取出口の位置を任意に配置可能であることが示唆されている。
　そして、利用者の一連の動作の最後となる、シール紙の取り出し作業の場所であるシール紙排出口を編集空間からの出口側に設けることは、利用者の動線や利便性等を考慮して、当業者が適宜採用しうる事項である。
　したがって、引用発明に相違点２に係る構成を採用することは、当業者が容易になし得る事項である。
　
　また、本願発明全体の効果も、引用発明及び周知技術から当業者が予測し得る範囲のものであって格別なものではない。
　
　よって、本願発明は、引用発明及び周知技術に基いて当業者が容易に発明をすることができたものである。
　
第６　むすび 
　以上のとおり、本願発明は、引用発明及び周知技術に基いて当業者が容易に発明をすることができたものであり、特許法第２９条第２項の規定により特許を受けることができないから、他の請求項に係る発明について検討するまでもなく、本願は、拒絶されるべきものである。 
　よって、結論のとおり審決する。